(57)【特許請求の範囲】
【請求項１】
ボーカル用として歌詞表示と歌詞に対応した単音のピアノロールを表示するボーカルモードと、
ギター演奏用として歌詞表示とギターパートに対応した複数音のピアノロールを表示するギターモードをもつカラオケ装置であって、
カラオケ歌唱中に「ボーカルモード」、「ギターモード」、「ボーカルモード＋ギターモード」、「ピアノロール表示なし」の切り替えができるカラオケシステムにおいて、
ボーカルモードにはボーカル用、ギターモードにはギター用の異なる方法の採点機能を持ち、「ボーカルモード」「ギターモード」「ボーカルモード＋ギターモード」「ピアノロール表示なし」を切り替えることにより採点機能も切り替え、あるいは各モードとは独立に「ボーカル」「ギター」「ボーカル＋ギター」「採点なし」の採点機能を設定でき、
ギターモードの採点機能は、
和音入力のうち、最も音量の大きい音のピッチを検出するピッチ検出手段であって、検出された音高が、検出時点にノートオン中と認識される１つまたは複数のリファレンスノートのいずれかの音高と一致するか否かを評価基準とし、
ノートオン中のリファレンスノートが６音を越えた場合、音程の低い方から６音までを
採点の対象とする採点機能を備えたことを特徴とするカラオケシステム。
【請求項２】
前記請求項１のギター採点機能において、
前記ギターパートには、「リードギターパート」及び「サイドギターパート」があり、
リードギターパートの採点を、単音の音程の採点により行い、
サイドギターパートの採点を、請求項１記載のギター採点機能により行うことを特徴とする請求項１記載のカラオケシステム。
【請求項３】
前記請求項２のギター採点機能は、
リードギターパートの採点は、タイミングのずれ及び音高のずれの許容度を示す閾値を大きく設定し、
サイドギターパートの採点は、タイミングのずれ及び音高のずれの許容度を示す閾値を小さく設定して採点する採点機能を備えたことを特徴とする請求項２記載のカラオケシステム。
【請求項４】
前記請求項２または３のギター採点機能は、
検出したピッチが、リードギターパート及びサイドギターパートのいずれかのリファレンスノートにそれぞれのパートが許容する「ずれ」を適用した範囲内か否かで採点する請求項２又は３記載の採点機能を備えたことを特徴とする請求項２又は３記載のカラオケシステム。
【発明の詳細な説明】
【技術分野】
【０００１】
本発明は、歌唱しながらギター演奏に対応したカラオケ装置に関するものである。
【背景技術】
【０００２】
人口の高齢化や余暇の拡大にともない、音楽に親しむ人が増えてきている。とくにカラオケの普及により、鑑賞する音楽から参加する音楽への流れはとどまるところを知らない。
【０００３】
また、参加する音楽は歌にとどまらず、楽器の演奏においても演奏人口は増えており、よりうまく演奏したいということで意欲的に練習に取り組む人たちも多くなってきている。
【０００４】
一方、カラオケの分野では楽器演奏を前提としたカラオケも見受けられ、いわゆる歌唱の代わりにギター演奏の部分をマイナスワンしたカラオケ装置も提案されている。
【先行技術文献】
【特許文献】
【０００５】
【特許文献１】特開2013-156542号公報
【特許文献２】特開2014-149366号公報
【発明の概要】
【発明が解決しようとする課題】
【０００６】
特許文献１は、カラオケ演奏に合わせてギターを演奏する際に、コードを弾く期間等をユーザに分かりやすく提示することを目的として、歌詞テロップ制御部は、カラオケ楽曲の歌詞を示す歌詞テロップをディスプレイに表示させる。コードブロック制御情報記憶部は、カラオケ楽曲に合わせて演奏されるギターのコードを示すコード譜を構成するコードブロック制御情報を記憶する。コードブロック制御部は、コードブロック制御情報に基づき、コードブロックの表示幅を、その演奏区間が長いほど長く決定する。そして、コードブロック制御情報に基づき、各コード単位のコードブロックを、決定した表示幅で、そのコードと対応する歌詞テロップの表示位置と対応付けてディスプレイに表示させるというものである。
【０００７】
特許文献２は、利用者の演奏能力や習熟度に適したコード譜を表示することで、利用者が円滑に演奏を行うことを目的として、カラオケ装置は、利用者が演奏するエレキギターからの演奏信号を入力するフォンジャックと、利用者に対し所望の表示を行うためのモニタと、を有し、さらに楽曲データの再生に応じて、当該楽曲データに係わるコード譜データを表示するようモニタを制御し、楽曲データの所定の第１タイミングにおける演奏内容がモニタにより表示された上記第１タイミングでのコード譜データに整合しているか否かを判定し、さらに、整合していないと判定された場合には、上記第１タイミング以降の所定の第２タイミングにおいて当該楽曲データに係わるコード譜データとは別の種類のコード譜データを表示するようモニタを制御する。
【０００８】
特許文献１、特許文献２とも、ギター演奏用の表示画面の提案がされているが、現実のカラオケ歌唱の現場では、同じ曲の中で歌唱の時もあればギター演奏の時もあるというのが実情である。
【０００９】
歌唱する場合は、歌詞と単音のピアノロールが表示されればよいが、ギター演奏の場合は、タイムロールは単音だけでは足りず音域も歌唱に比べて広く、また重音のコードまで必要な時があり、一方歌詞は必ずしも必要でない場合もある。
【課題を解決するための手段】
【００１０】
そこで、前記の課題を解決するため、本発明の請求項１は、
ボーカル用として歌詞表示と歌詞に対応した単音のピアノロールを表示するボーカルモードと、
ギター演奏用として歌詞表示とギターパートに対応した複数音のピアノロールを表示するギターモードをもつカラオケ装置であって、
カラオケ歌唱中に「ボーカルモード」、「ギターモード」、「ボーカルモード＋ギターモード」、「ピアノロール表示なし」の切り替えができるカラオケシステムにおいて、
ボーカルモードにはボーカル用、ギターモードにはギター用の異なる方法の採点機能を持ち、「ボーカルモード」「ギターモード」「ボーカルモード＋ギターモード」「ピアノロール表示なし」を切り替えることにより採点機能も切り替え、あるいは各モードとは独立に「ボーカル」「ギター」「ボーカル＋ギター」「採点なし」の採点機能を設定でき、
ギターモードの採点機能は、
和音入力のうち、最も音量の大きい音のピッチを検出するピッチ検出手段であって、検出された音高が、検出時点にノートオン中と認識される１つまたは複数のリファレンスノートのいずれかの音高と一致するか否かを評価基準とし、
ノートオン中のリファレンスノートが６音を越えた場合、音程の低い方から６音までを採点の対象とする採点機能を備えたことを特徴とするカラオケシステムである。
【００１１】
また本発明の請求項２は、
前記請求項１のギター採点機能において、
前記ギターパートには、「リードギターパート」及び「サイドギターパート」があり、
リードギターパートの採点を、単音の音程の採点により行い、
サイドギターパートの採点を、請求項１記載のギター採点機能により行うことを特徴とする請求項１記載のカラオケシステムである。
【００１２】
また本発明の請求項３は、
前記請求項２のギター採点機能は、
リードギターパートの採点は、タイミングのずれ及び音高のずれの許容度を示す閾値を大きく設定し、
サイドギターパートの採点は、タイミングのずれ及び音高のずれの許容度を示す閾値を小さく設定して採点する採点機能を備えたことを特徴とする請求項２記載のカラオケシステムである。
【００１３】
また本発明の請求項４は、
前記請求項２または３のギター採点機能は、
検出したピッチが、リードギターパート及びサイドギターパートのいずれかのリファレンスノートにそれぞれのパートが許容する「ずれ」を適用した範囲内か否かで採点する請求項２又は３記載の採点機能を備えたことを特徴とする請求項２又は３記載のカラオケシステム。
【発明の効果】
【００１６】
これにより、カラオケ演奏時に、歌唱時、ギター演奏時それぞれに演奏形態に合わせた最適な表示をおこなうことで、弾き語りなど演奏と歌唱が混在する楽曲においても快適にカラオケ演奏を楽しむことができる。
【図面の簡単な説明】
【００１７】
【図１】本発明の請求項１に係るボーカル用として歌詞表示と歌詞に対応した単音のピアノロールを表示するボーカルモードの表示例。
【図２】本発明の請求項１に係るギター演奏用として歌詞表示とギターパートに対応した複数音のピアノロールを表示するギターモードの表示例。
【図３】本発明の請求項１に係る「ボーカルモード＋ギターモード」が選択された場合のピアノロールの表示例。
【発明を実施するための形態】
【００１８】
図１は、ボーカルモード時の表示の例である。歌唱の場合は、歌詞と歌唱に最適なサイズのピアノロールを表示する。
【００１９】
一方、図２はギターモード時の表示の例である。ギターモードにおいては、歌詞は小さめで構わないが、歌唱に比べて音域が広い為、広めのピアノロールが必要となる。
【００２０】
図３は「ボーカルボード＋ギターモード」が選択された場合のピアノロールの例である。
歌唱用の狭いピアノロールとギター用の広めのピアノロールの双方が表示される。
【００２１】
これにより、カラオケの利用者は歌唱する場合、ギター演奏する場合もそれぞれ最適なガイド表示を利用することができる。
【図１】
0006427392.tif 000002
【図２】
0006427392.tif 000003
【図３】
0006427392.tif 000004